(57)【特許請求の範囲】
【請求項１】
プレキャストコンクリート柱に制振装置を取り付けて制振柱を構築する施工方法であって、前記プレキャストコンクリート柱を構成する上・下プレキャストコンクリート柱を工場で製作し、
前記下プレキャストコンクリート柱をスラブの上に揚重・取付した後、振動エネルギーを吸収する制振装置における下部を前記下プレキャストコンクリート柱の上部に仮締め固定して取付け、
上プレキャストコンクリート柱の側壁にこの上プレキャストコンクリート柱の荷重を受けるための荷重受け手段を取付けて該上プレキャストコンクリート柱を揚重・搬入し前記下プレキャストコンクリート柱の上位置に下ろし、
前記上プレキャストコンクリート柱の全荷重を前記荷重受け手段に係合し支持する支保工によって受けさせた後に前記制振装置の上部と前記上プレキャストコンクリート柱の下部とを仮締め固定して取付け、
その後、上階の工事進捗に伴って前記制振装置と上・下プレキャストコンクリート柱との仮締め固定を本締めして固定すること、
を特徴とする制振柱の施工方法。
【請求項２】
梁にプレストレスを導入する場合には、緊張材を緊張させてプレストレスを導入した後に、制振装置と上・下プレキャストコンクリート柱との本締めを行うこと、
を特徴とする請求項１に記載の制振柱の施工方法。
【請求項３】
下プレキャストコンクリート柱は、スラブの上に揚重・取付けされた後にレベル調節ボルトで、当該下プレキャストコンクリート柱の位置及び垂直度が調整されるとともに、制振装置が上・下プレキャストコンクリート柱に本締め固定された後に前記下プレキャストコンクリート柱の下部が充填材でグラウトされて前記スラブに固定されること、
を特徴とする請求項１または２に記載の制振柱の施工方法。
【請求項４】
荷重受け手段は、上プレキャストコンクリート柱に着脱自在であって、制振装置の本締め固定後に上階へ転用可能であること、
を特徴とする請求項１乃至３のいずれか１項に記載の制振柱の施工方法。
【請求項５】
荷重受け手段は、荷重受け用支保工と上プレキャストコンクリート柱位置調整用支保工とを係合させる部位との間に隔壁が設けられていること、
を特徴とする請求項１乃至４のいずれか１項に記載の制振柱の施工方法。
【請求項６】
荷重受け手段は、上プレキャストコンクリート柱と一体に形成される支持・係合用の凸部若しくは凹部であること、
を特徴とする請求項１乃至３のいずれか１項に記載の制振柱の施工方法。
【請求項７】
荷重受け手段は、上プレキャストコンクリート柱の対向する一対の側壁面に設けられること、
を特徴とする請求項１乃至６のいずれか１項に記載の制振柱の施工方法。
【発明の詳細な説明】
【技術分野】
【０００１】
本発明は、プレキャストコンクリート柱（以下、ＰＣａ柱と称することもある）に制振装置を設置して、制振柱とするための施工方法に関するものである。
【背景技術】
【０００２】
従来、制振柱を構築する方法として、特許文献１に示すように、柱の側面等において上部構造体と下部構造体との間にダンパー部材を介装して制振柱が構築されるものである。また、制振柱を上部柱と下部柱の間に設けるものも知られている。そして、前記ダンパー部材は、躯体の所要強度が発現し形成された上部構造体及び下部構造体との間に、後付けして取り付けられるものである。
【先行技術文献】
【特許文献】
【０００３】
【特許文献１】特開平１０−２５２３０８号公報
【発明の概要】
【発明が解決しようとする課題】
【０００４】
しかし、前記制振装置を制振柱の所定の位置に後付けする工法においては、取付・固定用のボルトの数が非常に多いので実際には施工上非常に困難を伴うとともに、梁等の４週強度発現後に制振装置を取り付けることになるので、工期が長くなってしまうという課題がある。また、前記上部柱と下部柱とが共にＰＣａ柱であってその間に制振装置を設ける場合にも、同様な課題がある。本発明に係る制振柱の施工方法は、このような課題を解決するために提案されたものである。
【課題を解決するための手段】
【０００５】
本発明に係る制振柱の施工方法の上記課題を解決して目的を達成するための要旨は、プレキャストコンクリート柱に制振装置を取り付けて制振柱を構築する施工方法であって、前記プレキャストコンクリート柱を構成する上・下プレキャストコンクリート柱を工場で製作し、前記下プレキャストコンクリート柱をスラブの上に揚重・取付した後、振動エネルギーを吸収する制振装置における下部を前記下プレキャストコンクリート柱の上部に仮締め固定して取付け、上プレキャストコンクリート柱の側壁にこの上プレキャストコンクリート柱の荷重を受けるための荷重受け手段を取付けて該上プレキャストコンクリート柱を揚重・搬入し前記下プレキャストコンクリート柱の上位置に下ろし、前記上プレキャストコンクリート柱の全荷重を前記荷重受け手段に係合し支持する支保工によって受けさせた後に前記制振装置の上部と前記上プレキャストコンクリート柱の下部とを仮締め固定して取付け、その後、上階の工事進捗に伴って前記制振装置と上・下プレキャストコンクリート柱との仮締め固定を本締めして固定することである。
【０００６】
また、梁にプレストレスを導入する場合には、緊張材を緊張させてプレストレスを導入した後に、制振装置と上・下プレキャストコンクリート柱との本締めを行うこと、；
前記下プレキャストコンクリート柱は、スラブの上に揚重・取付けされた後にレベル調節ボルトで、当該下プレキャストコンクリート柱の位置及び垂直度が調整されるとともに、制振装置が上・下プレキャストコンクリート柱に本締め固定された後に前記下プレキャストコンクリート柱の下部が充填材でグラウトされて前記スラブに固定されること、；
前記荷重受け手段は、上プレキャストコンクリート柱に着脱自在であって、制振装置の本締め固定後に上階へ転用可能であること、；
前記荷重受け手段は、荷重受け用支保工と上プレキャストコンクリート柱位置調整用支保工とを係合させる部位との間に隔壁が設けられていること、；
前記荷重受け手段は、上プレキャストコンクリート柱と一体に形成される支持・係合用の凸部若しくは凹部であること、；
前記荷重受け手段は、上プレキャストコンクリート柱の対向する一対の側壁面に設けられること、；
を含むものである。
【発明の効果】
【０００７】
本発明の制振柱の施工方法によれば、制振柱が、上・下プレキャストコンクリート柱である場合に、施工時の制振装置に鉛直荷重を掛けることなく、躯体の施工と同時に前記上・下プレキャストコンクリート柱の間に先付けで介装させて設置することが可能となり、工期短縮及び取付けの手間のコスト削減となる。
【０００８】
また、梁にプレストレスを導入する場合には、緊張材を緊張させてプレストレスを導入した後に、制振装置の本締めを行うので、この制振装置にプレストレス導入の影響を受けないようにしている。
【０００９】
制振装置は、連結部分において本締めされるまで上プレキャストコンクリート柱の影響を受けることなく施工される。また、前記荷重受け手段は上階に転用できるので、使用本数の減少によりコスト低減となる。更に、荷重受け用支保工と上プレキャストコンクリート柱位置調整用支保工とを、荷重受け手段に係合させる部位と部位とのの間に隔壁が設けられ、荷重受け手段の強度が補強されるとともに、支保工を確実にセットできる。
【００１０】
前記荷重受け手段は、上プレキャストコンクリート柱と一体に形成される支持・係合用の凸部若しくは凹部とすることで、部品点数が減るとともに製作コストの低減となる。前記荷重受け手段は、上プレキャストコンクリート柱の対向する一対の側壁面に設けて、作業性の向上とコストの低減が図れる、と言う数々の優れた効果を奏するものである。
【図面の簡単な説明】
【００１１】
【図１−Ａ】本発明に係る制振柱の施工方法の手順を示し、下プレキャストコンクリート柱２をスラブ上に設置する様子を示す説明図（Ａ），（Ｂ）である。
【図１−Ｂ】同本発明に係る制振柱の施工方法に使用する制振装置６の構成を示す正面図（Ａ）と、ｃ−ｃ線断面図（Ｂ），ｄ−ｄ線断面図（Ｃ），ａ−ａ線断面図（Ｄ）である。
【図１−Ｃ】同本発明に係る制振柱の施工方法に使用する荷重受け金物５の正面図（Ａ）と、断面図（Ｂ）とである。
【図２】同本発明の制振柱の施工方法における、制振装置６の取付けと上プレキャストコンクリート柱３の搬入の様子を示す説明図（Ａ）と、下プレキャストコンクリート柱２に制振装置６を仮締めした状態の正面図（Ｂ）とである。
【図３】同本発明の制振柱の施工方法における、上プレキャストコンクリート柱３の搬入の様子を示す説明図（Ａ）と、該上プレキャストコンクリート柱３の荷重を支保工１２で全部受けさせるとともに、制振装置６の上部を前記上プレキャストコンクリート柱３に仮締めした様子を示す説明図（Ｂ）とである。
【図４】前記上プレキャストコンクリート柱３を支保工１３によって位置調整して位置固定した様子を示す説明図（Ａ）と、支保工１４で大梁やスラブの型枠１５を支持している様子を示す説明図（Ｂ）とである。
【図５】大梁用・スラブ用の配筋とＰＣシース管１８とを配筋して型枠に配設する様子を示す説明図（Ａ）と、前記型枠１５に現場打ちコンクリートを流し込んで打設した状態を示す説明図（Ｂ）とである。
【図６】前記大梁やスラブが所要の強度を発現した後に、大梁における側方の型枠を上階に転用するとともに、Ｎ＋１階に下プレキャストコンクリート柱２を搬入してスラブ上に設置する様子を示す説明図である。
【図７】Ｎ＋１階において制振装置６の取り付けと、上プレキャストコンクリート柱３の取り付けと、大梁やスラブの型枠を設置した状態までと、前記ＰＣシース管１８に緊張材を挿通して緊張させるプレストレスの導入と、下プレキャストコンクリート柱２の下部のグラウトと、該グラウト施工後に支保工１１，１３を解体することを示す説明図である。
【図８】Ｎ＋１階の大梁とスラブの現場打ちコンクリートによる構築と、その後のＮ階の支保工１２，１４の解体を示す説明図である。
【図９】制振柱１と通常のＲＣ柱が構築された状態の正面図（Ａ）、ａ−ａ線断面図（Ｂ），ｂ−ｂ線断面図（Ｃ）である。
【図１０】本発明に係る制振柱１の全体配置を示す平面図である。
【発明を実施するための形態】
【００１２】
本発明に係る制振柱の施工方法について、図面を参照しながら説明する。本発明では、制振柱１を構成する柱が、上・下プレキャストコンクリート柱２，３であるという条件の下で、その柱の中間に設置する制振装置６に施工中において鉛直荷重が掛からないようにして施工することにある。
【実施例１】
【００１３】
まず、プレキャストコンクリート柱に制振装置を取り付けて制振柱１を構築する施工方法であって、図示していないが、前記プレキャストコンクリート柱を構成する上・下プレキャストコンクリート柱を工場で製作する。この下プレキャストコンクリート柱２には、図１−Ａに示すように、鋼製ＢＯＸ型の箱形定着部材４が上下方向の上端部から突出している。制振装置６（図１−Ｂ参照）との連結に使用されるものである。また、下プレキャストコンクリート柱２の下部には、スラブ８から突出させてある連結主筋９を嵌挿させる連結用孔２ａが設けられている。
【００１４】
図１−Ａ（Ａ）に示すように、前記下プレキャストコンクリート柱２をＮ階のスラブ８の上に、クレーンのワイヤー７ａ及び吊り治具７で揚重・取付する。図１−Ａ（Ｂ）に示すように、この下プレキャストコンクリート柱２の位置・垂直度をレベル調節ボルト１０で高精度に調整する。同時に下プレキャストコンクリート柱用支保工１１が柱の４面にそれぞれ設けられ、ぶれないように前記下プレキャストコンクリート柱２を四方から押して支持する。
【００１５】
これ以前に、予め振動エネルギーを吸収する制振装置６を形成しておく。この制振装置６は、図１−Ｂに示すように、鋼製プレートを凹型にして互いに溶接して固着し、全体の大きさが縦約１０００ｍｍ，横幅が約４３０ｍｍ，中央部分の幅が２５０ｍｍ程度のものである。符号６ａが低降伏点鋼を示している。この制振装置６の上下部分にボルト連結用のボルト孔６ｂが所望数設けられている。
【００１６】
図２（Ａ），（Ｂ）に示すように、前記下プレキャストコンクリート柱２の上部における箱形定着部材４の４面のボルト孔に、先行して揚重されている前記制振装置６の下部を位置合わせして、ボルトで互いの面の各ボルト孔６ｂに挿通して連結し、仮締めで固定する。前記制振装置６の上部は、図２（Ｂ）に示すように、後の上側の箱形定着部材を嵌合させるために、調整できる範囲で外側へ開き気味にしておく。
【００１７】
図２（Ａ）と図３（Ａ）とに示すように、上プレキャストコンクリート柱３の一方向における両側の側壁に、この上プレキャストコンクリート柱３の荷重を受けるための荷重受け手段である荷重受け金物５，５を取付けて、該上プレキャストコンクリート柱３を揚重・搬入し、前記下プレキャストコンクリート柱２の上位置に下ろす。
【００１８】
前記荷重受け金物５は、図１−Ｃ（Ａ），（Ｂ）に示すように、鋼製で断面形状がＬ字型になっていて、横方向の中央部にサポート用のフック５ａが設けられ、その左右に隔壁５ｂが設けられ、左右に取り付け用のボルト長孔５ｃが設けられ、左右端部に補強プレート５ｄが設けられている。ボルト用長孔５ｃは、左右方向に長孔になっている。
【００１９】
図３（Ｂ）に示すように、前記上プレキャストコンクリート柱３の全荷重を一対の前記荷重受け手段である荷重受け金物５に係合し支持する上プレキャストコンクリート柱荷重受け用の支保工１２（片側に２カ所設ける）によって受けさせた後に、前記制振装置６の上部と前記上プレキャストコンクリート柱３の下部とをボルトで仮締め固定して取付ける。
【００２０】
なお、前記荷重受け金物５，５を、この一実施例では一対としているが、荷重支持として安全性が確保されれば良く、作業性を考慮したものであり、この実施例に限ることなく例えば、受け金物５を２対で４カ所に設けることも妨げるものではない。
【００２１】
そして、図４（Ａ）に示すように、上プレキャストコンクリート柱３の位置調整を行い、上プレキャストコンクリート柱位置調整用支保工１３を柱の前記荷重受け金物５のフック５ａおよび柱に基部を埋設してあるフック用金具１３ａに係合させ、柱の周囲４カ所に設けて、前記上プレキャストコンクリート柱３を位置固定する。
【００２２】
その後、図４（Ｂ）に示すように、大梁型枠用支保工１４により大梁・スラブ用の型枠１５を組み立て、更に、図５（Ａ），（Ｂ）に示すように、大梁鉄筋を配筋し、およびＰＣシース管１８の配管をする。そして、現場打ちでコンクリートを打設して、図６に示すように、Ｎ階の大梁１７とスラブ１６を構築する。前記大梁・スラブ用の型枠１５のうち側面の型枠は、上階に転用する。底面の大梁型枠は、そのまま大梁型枠用支保工１４に支持させておく。
【００２３】
そして、Ｎ＋１階において、制振柱１を構築するために、下プレキャストコンクリート柱２をクレーンで揚重して載置する。以下、前述と同様の手順により、図７に示すように、制振装置６を仮締めして上プレキャストコンクリート柱３を支保工１２で支持し、上プレキャストコンクリート柱３の上に大梁型枠用支保工１４で支持させて大梁およびスラブ用の型枠１５を組み立て、鉄筋等を配筋する。
【００２４】
また、Ｎ階では、前記ＰＣシース管１８にＰＣ鋼材を挿通させて配設し、当該ＰＣ鋼材をジャッキ等で緊張する。こうして、大梁とスラブにプレストレスが導入される。その後、制振装置６と上・下プレキャストコンクリート柱とを連結している、仮締めであったボルトの本締めをボルト全数に行う。
【００２５】
図７に示すように、前記制振装置６のボルト本締めにより、Ｎ階の下プレキャストコンクリート柱２は、制振装置６の取付施工が完了したので、当該下プレキャストコンクリート柱２の下部において、連結主筋９を嵌挿させている連結用孔２ａにグラウト材を充填装置により下から上へと充填する。こうして、下プレキャストコンクリート柱２がスラブ８と一体化される。前記グラウトの充填後に、プレキャストコンクリート柱２，３の位置調整は固定されて、その位置調整用支持が不要となるので、支保工１１，１３を解体撤去する。
【００２６】
その後、図８に示すように、Ｎ＋１階の大梁と柱・梁接合部およびスラブに現場打ちでコンクリートを打設する。これらの現場打ちコンクリートが所要の強度を発現した後、Ｎ階において、上下方向の荷重を支えていた前記支保工１２，１４をともに解体する。これらの支保工１２，１４は上階に転用される。
【００２７】
このように、上階の工事進捗に伴って前記制振装置６と上・下プレキャストコンクリート柱２，３との仮締め固定を本締めして、制振柱１の制振装置取付施工中には、鉛直荷重
が当該制振装置６に掛からないようにして固定するものである。こうして、図９に示すように、Ｎ階からＮ＋１階へと繰り返し施工して制振柱１が完成する。なお、建物におけるＲＣ柱１ａと制振柱１との全体配置の例を図１０に示す。
【実施例２】
【００２８】
本発明の他の例として、下プレキャストコンクリート柱２の上部と、上プレキャストコンクリート柱３の下部とには、制振装置６との接続・定着用に、箱形定着部材４が一部を外部に突出させて埋設されているＢＯＸ型で説明したが、これに限らず柱４面にそれぞれ別個の金属製取付板があっても良い。また、荷重受け手段である荷重受け金物５は、上プレキャストコンクリート柱３にボルトで着脱自在であって、制振装置６の本締め固定後に上階へ転用可能としたが、上プレキャストコンクリート柱３と一体に形成される支持・係合用の凸部若しくは凹部（図示せず）である様にしても良い。工場で予め形成することができるので、部品点数の低減およびコスト削減となる。
【産業上の利用可能性】
【００２９】
本発明に係る制振柱の施工方法は、制振柱がプレキャストコンクリート柱である場合に適用されるものである。
【符号の説明】
【００３０】
１          制振柱、                          １ａ        ＲＣ柱、
２          下プレキャストコンクリート柱、
３          上プレキャストコンクリート柱、
４          箱形定着部材、                  
５          荷重受け金物、                    ５ａ      フック、
５ｂ        隔壁、                            ５ｃ      ボルト長孔、
５ｄ        補強プレート、
６          制振装置、                        ６ａ      低降伏点鋼、
６ｂ        ボルト孔、
７          吊り治具、                        ７ａ      ワイヤー、
８          スラブ、
９          連結主筋、
１０        レベル調節ボルト、            
１１        下プレキャストコンクリート柱用支保工、
１２        上プレキャストコンクリート柱荷重受け用の支保工、
１３        上プレキャストコンクリート柱位置調整用支保工、
１３ａ      フック用金具、
１４        大梁型枠用支保工、
１５        大梁・スラブ型枠、
１６        スラブ、
１７        大梁、
１８        ＰＣシース管。
【図１−Ａ】
0005804796.tif 000002
【図１−Ｂ】
0005804796.tif 000003
【図１−Ｃ】
0005804796.tif 000004
【図２】
0005804796.tif 000005
【図３】
0005804796.tif 000006
【図４】
0005804796.tif 000007
【図５】
0005804796.tif 000008
【図６】
0005804796.tif 000009
【図７】
0005804796.tif 000010
【図８】
0005804796.tif 000011
【図９】
0005804796.tif 000012
【図１０】
0005804796.tif 000013